(57)【要約】【課題】アナログ表示部における表示精度を高め得るデジタルスチルカメラを提供すること。【解決手段】本発明のデジタルスチルカメラは、指針が所定の表示対象の数量に応じて回転するように設置されており、前記指針が目盛りを指し示すことによって、前記表示対象の数量を表示するアナログ表示部を備えている。このデジタルスチルカメラは、前記表示対象の単位量当たりの前記指針の回転角度が、前記表示対象の数量が少なくなるのに伴って、連続的または段階的に大きくなるよう構成されている。【選択図】図８
2005301130.tif 000002
【特許請求の範囲】
【請求項１】
変位する指針が目盛りを指し示すことによって、所定の表示対象の数量を表示するアナログ表示部を備えたデジタルスチルカメラであって、
前記表示対象の単位量当たりの前記指針の変位量が、前記表示対象の数量が少なくなるのに伴って、連続的または段階的に大きくなるよう構成されていることを特徴とするデジタルスチルカメラ。
【請求項２】
指針が所定の表示対象の数量に応じて回転するように設置されており、前記指針が目盛りを指し示すことによって、前記表示対象の数量を表示するアナログ表示部を備えたデジタルスチルカメラであって、
前記表示対象の単位量当たりの前記指針の回転角度が、前記表示対象の数量が少なくなるのに伴って、連続的または段階的に大きくなるよう構成されていることを特徴とするデジタルスチルカメラ。
【請求項３】
前記アナログ表示部には、ステッピングモータが接続されており、
前記ステッピングモータのステップ量の相異により、前記表示対象の単位量当たりの前記指針の回転角度が、前記表示対象の数量が少なくなるのに伴って、連続的または段階的に大きくなるよう構成されている請求項２に記載のデジタルスチルカメラ。
【請求項４】
前記目盛りは、前記表示対象の数量の最小値付近において、前記１単位量ずつ設けられている請求項１ないし３のいずれかに記載のデジタルスチルカメラ。
【請求項５】
前記表示対象は、撮影・記録可能な画像の枚数である請求項１ないし４のいずれかに記載のデジタルスチルカメラ。
【請求項６】
前記アナログ表示部には、蓋本体と、該蓋本体の内側に設けられた文字盤とが設けられている請求項１ないし５のいずれかに記載のデジタルスチルカメラ。
【請求項７】
前記蓋本体または前記文字盤には、撮影・記録可能な画像の枚数を示す目盛りが付されている請求項６に記載のデジタルスチルカメラ。
【請求項８】
前記文字盤には、撮像時に設定する撮像される画像の解像度、撮像時に設定する環境の明るさおよびバッテリーにおける残量の少なくとも１つを示す目盛りが付されている請求項６または７に記載のデジタルスチルカメラ。
【発明の詳細な説明】
【技術分野】
【０００１】
本発明は、デジタルスチルカメラに関する。
【背景技術】
【０００２】
従来のデジタルスチルカメラには、特許文献１に記載されているデジタルカメラが知られている。このデジタルスチルカメラには、例えばバッテリーの残量を表示するアナログ式の表示ユニット（表示部）を有するものがある。
この表示部は、蓋本体（胴）と、蓋本体の内側に設けられた文字盤と、目盛りを指し示す指針が設けられたムーブメントとを備えている。このような構成の表示部では、複数の表示対象（例えば、バッテリー残量、画像の解像度、撮影時の明るさ、画像の枚数）の数量（程度）をそれぞれ表示する複数の目盛りが設けられて（付されて）いる。
しかしながら、前記表示部では、前述したように複数の目盛りが付されているため、各目盛りが付される箇所の大きさが限られていた。従って、各目盛りにおける目盛りの付され方によっては、指針が指し示す目盛りを読むのが困難となる（読みづらくなる）、すなわち、前記表示部における表示精度が低下するという問題があった。
【０００３】
【特許文献１】特開２００２−２６２１３５号公報
【発明の開示】
【発明が解決しようとする課題】
【０００４】
本発明の目的は、アナログ表示部における表示精度を高め得るデジタルスチルカメラを提供することにある。
【課題を解決するための手段】
【０００５】
このような目的は、下記の本発明により達成される。
本発明のデジタルスチルカメラは、変位する指針が目盛りを指し示すことによって、所定の表示対象の数量を表示するアナログ表示部を備えたデジタルスチルカメラであって、
前記表示対象の単位量当たりの前記指針の変位量が、前記表示対象の数量が少なくなるのに伴って、連続的または段階的に大きくなるよう構成されていることを特徴とする。
これにより、アナログ表示部における表示精度を高めることができる。
【０００６】
本発明のデジタルスチルカメラは、指針が所定の表示対象の数量に応じて回転するように設置されており、前記指針が目盛りを指し示すことによって、前記表示対象の数量を表示するアナログ表示部を備えたデジタルスチルカメラであって、
前記表示対象の単位量当たりの前記指針の回転角度が、前記表示対象の数量が少なくなるのに伴って、連続的または段階的に大きくなるよう構成されていることを特徴とする。
これにより、アナログ表示部における表示精度を高めることができる。
【０００７】
本発明のデジタルスチルカメラでは、前記アナログ表示部には、ステッピングモータが接続されており、
前記ステッピングモータのステップ量の相異により、前記表示対象の単位量当たりの前記指針の回転角度が、前記表示対象の数量が少なくなるのに伴って、連続的または段階的に大きくなるよう構成されていることが好ましい。
これにより、アナログ表示部における表示精度を高めることができる。
【０００８】
本発明のデジタルスチルカメラでは、前記目盛りは、前記表示対象の数量の最小値付近において、前記１単位量ずつ設けられていることが好ましい。
これにより、アナログ表示部における表示精度を高めることができる。
本発明のデジタルスチルカメラでは、前記表示対象は、撮影・記録可能な画像の枚数であることが好ましい。
これにより、撮影・記録可能な画像の枚数を確認することができる。
【０００９】
本発明のデジタルスチルカメラでは、前記アナログ表示部には、蓋本体と、該蓋本体の内側に設けられた文字盤とが設けられていることが好ましい。
これにより、蓋本体および文字盤の少なくとも一方に目盛りを設けることができる。
本発明のデジタルスチルカメラでは、前記蓋本体または前記文字盤には、撮影・記録可能な画像の枚数を示す目盛りが付されていることが好ましい。
これにより、撮影・記録可能な画像の枚数を確認することができる。
【００１０】
本発明のデジタルスチルカメラでは、前記文字盤には、撮像時に設定する撮像される画像の解像度、撮像時に設定する環境の明るさおよびバッテリーにおける残量の少なくとも１つを示す目盛りが付されていることが好ましい。
これにより、撮像時に設定する撮像される画像の解像度、撮像時に設定する環境の明るさおよびバッテリーにおける残量の少なくとも１つを確認することができる。
【発明の効果】
【００１１】
本発明によれば、表示対象の数量が少なくなるのに伴って、表示対象の単位量当たりの指針の回転角度を徐々に大きくすることにより、指針の動きを大きくすることができ、よって、アナログ表示部における表示精度を高めることができる。
【発明を実施するための最良の形態】
【００１２】
以下、本発明のデジタルスチルカメラを添付図面に示す好適な実施形態に基づいて詳細に説明する。
図１は、本発明のデジタルスチルカメラを示す背面斜視図である。図２は、図１に記載したデジタルスチルカメラの表示ユニットを示す平面図である。図３は、図２に記載した表示ユニットのＨ−Ｏ−Ｇ断面図である。図４は、図２に記載した表示ユニットのＭ−Ｏ−Ｋ断面図である。図５は、図１に記載したデジタルスチルカメラの表示ユニットの分解斜視図である。図６は、図１に記載したデジタルスチルカメラの内部構成を示すブロック図である。なお、以下では、特に述べない限り、図１〜図５中（図８〜図１１も同様）の上側を「上」、下側を「下」と言う。
【００１３】
図１に示すデジタルスチルカメラ（以下、単に「デジタルカメラ」という）１は、箱型のカメラ本体（ボディー）３を有している。
カメラ本体３の正面側には、撮影光学系が内蔵されたレンズ鏡筒（図示せず）が設けられている。
図１に示すように、カメラ本体３の背面側には、ＬＣＤ（液晶表示素子）１１と、ファインダー１２と、複数（本実施形態では、４つ）の操作ボタンで構成された操作部１３とがそれぞれ設けられている。ＬＣＤ１１には、撮影した画像等を表示することができる。
【００１４】
図１中の右側の部分におけるカメラ本体３内には、電池室３４が形成されている。この電池室３４内には、電源としてのバッテリー（電池）Ｂが収納される。
電池室３４の近傍には、記録媒体としてのメモリカード１０が収納され装填される装填部が形成されている。
図１に示すように、カメラ本体３の上面側には、レリーズボタン１４と、アナログ式の表示ユニット（アナログ表示部）２とが設けられている。
【００１５】
図６に示すように、カメラ本体３内には、さらに、ＣＰＵ（制御部）５０と、記憶部５１と、電源回路５２と、メモリカード制御回路５３と、ステッピングモータ（ＰＭ）５４と、ステッピングモータドライバ（ＰＭドライバ）５５と、ＣＣＤ（撮像素子）５６１を有する撮像部５６とがそれぞれ設置されている。
ＣＰＵ５０は、例えば、撮影制御、各種操作スイッチの操作に基づく各種動作制御等を行う。
【００１６】
記憶部５１は、例えば、現状の撮影・記録可能な画像の枚数を把握（記憶）させる部位である。この記憶部５１は、ＣＰＵ５０に接続されている。
また、電源回路５２は、電力を供給するための回路である。この電源回路５２には、バッテリーＢが接続されている（図６参照）。
ステッピングモータ５４は、表示ユニット２（ムーブメント２１）に接続されており、後述する表示ユニット２が備えるムーブメント２１の長針２１１を回転させるモータである。このステッピングモータ５４は、それを駆動させるステッピングモータドライバ５５を介して、ＣＰＵ５０と接続されている（図６参照）。また、ステッピングモータ５４は、１ステップ（パルス）当たり１．２°回転するモータである。
【００１７】
このようなデジタルカメラ１では、前記撮影光学系により形成された被写体像をカメラ本体３内に設置されたＣＣＤ５６１により電気信号に変換し、これにより得られた画像データをメモリカード制御回路５３を介して、前記装填部に装填されたメモリカード１０に記録する。なお、デジタルカメラ１は、静止画だけでなく動画が撮影および記録可能なものであってもよい。
【００１８】
前述したように、デジタルカメラ１には、アナログ式の表示ユニット（以下、単に「表示ユニット」という）２が設けられている。以下、この表示ユニット２の構成について説明する。
表示ユニット２は、デジタルカメラ１の上部（上面）に配置され（図１参照）、ムーブメント２１と、文字盤２２と、蓋本体２３と、底蓋２４とを備えている（図３〜図５参照）。
【００１９】
ムーブメント２１は、長針（指針）２１１および複数（本実施形態では、３つ）の短針（指針）２１２〜２１４を有している。これらの針（指針）２１１〜２１４は、表示項目（表示対象）である画像の枚数、画像の解像度、撮影環境の明るさおよびバッテリーＢの残量の数量（程度）に応じて回転する（変位する）ようにそれぞれ設置されている。
このように設置された針２１１〜２１４は、各表示項目に対応する蓋本体２３の目盛り２３３および文字盤２２の目盛り２２６〜２２８をそれぞれ指し示すことによって、これらの表示項目の数量を表示する（図２参照）。
【００２０】
文字盤２２は、円盤部材からなり、ムーブメント２１の針２１１〜２１４の各軸２１１ａ、２１２ａ、２１３ａ、２１４ａを挿通させる孔２２２ａ、２２２ｂ、２２２ｃ、２２２ｄをそれぞれ有すると共に、表示面２２５に短針２１２〜２１４に対応した目盛り２２６〜２２８が付されている。また、文字盤２２は、後述するガイド部材２５のガイドピン２５２が挿入されるガイドホール２２１を有する。
【００２１】
蓋本体２３は、枠状部材からなり、その上面（外面）２３４に長針２１１に対応した目盛り２３３を有する。また、蓋本体２３は、その内径が縮径した枠部（段差部）２３１の内側（下面２３１ａ）に、ガイド部材２５のガイドピン２５２が挿入されるガイドホール２３２を有する（図３参照）。
底蓋（裏蓋）２４は、蓋本体２３の底面側（下部）に取り付けられる。図３、図４に示すように、底蓋２４と蓋本体２３とで囲まれた空間２８（蓋本体２３の内側）には、ムーブメント２１と文字盤２２とが設置される。
【００２２】
また、表示ユニット２は、ガイド部材２５を有する（図５および図６参照）。このガイド部材２５は、その形状がほぼ枠状（環状）をなしており、環状部２５１と、ガイドピン２５２と、保持部２５３とで構成されている。
環状部２５１は、その外径が蓋本体２３の枠部２３１の内径（ムーブメント２１が収容される部分の内径）とほぼ等しい。
【００２３】
ガイドピン２５２は、ほぼ円柱形状をなしている。ガイドピン２５２は、その先端（上側）が環状部２５１の上方に突出するように環状部２５１の内周面に複数（本実施形態では、２つ）形成されている（図６参照）。ガイドピン２５２が複数形成されていることにより、表示ユニット２を組立てた際、ムーブメント２１、文字盤２２および蓋本体２３を強固に（より確実に）固定（位置決め）することができる。
【００２４】
また、組立前において、ガイドピン２５２は、その最大外径がガイドホール２２１、２３２のいずれの内径より若干大きいのが好ましい（例えば、図７（ｃ）参照）。これにより、ガイドピン２５２がガイドホール２２１、２３２に圧入されるため、表示ユニット２を組立てた際、ムーブメント２１、文字盤２２および蓋本体２３をより正確かつより確実に位置決めすることができる。従って、表示ユニット２における表示精度をより高めることができる。
保持部２５３は、その形状がほぼ長尺状をなしており、環状部２５１の下方に延びる（突出する）ように環状部２５１の下部に２つ形成されている。また、２つの保持部２５３は、互いに対向して形成されている（図６参照）。
【００２５】
このような構成のガイド部材２５をムーブメント２１に固定するとき、保持部２５３がムーブメント２１の外周面２１５に嵌合する。これにより、ガイド部材２５をムーブメント２１に容易に固定（取り付ける）することができる。
また、ガイド部材２５は、主として、プラスチックで構成されているのが好ましい。これにより、ガイド部材２５を容易に成形（形成）することができる。
【００２６】
次に、表示ユニット２を組立てる工程について説明する。表示ユニット２は、以下の工程により組立てられる（図５参照）。
まず、底蓋２４の内腔２４１にムーブメント２１を設置する。このとき、ムーブメント２１と底蓋２４との間には、板バネ（付勢部材）２６が挟み込まれている（図３、図４参照）。
次に、前述したようなガイド部材２５の保持部２５３の嵌合により、ムーブメント２１にガイド部材２５を設置（固定）する。この固定により、ムーブメント２１に対するガイド部材２５の径方向および周方向の移動が規制される、すなわち、ムーブメント２１に対するガイド部材２５の位置決めが行われる（図３、図４参照）。
【００２７】
次に、ガイド部材２５のガイドピン２５２を文字盤２２のガイドホール２２１に挿入しつつ、ムーブメント２１（ガイド部材２５）に文字盤２２を重ねる（設置する）。これにより、ガイド部材２５を介して、ムーブメント２１と文字盤２２とが位置決めされる（図３参照）。
また、文字盤２２をムーブメント２１に設置したことにより、文字盤２２の孔２２２ａ〜２２２ｄから針２１１〜２１４の各軸２１１ａ〜２１４ａが突出する。この状態で、各軸２１１ａ〜２１４ａに針２１１〜２１４を固定する（取り付ける）。
【００２８】
次に、ガイド部材２５のガイドピン２５２を蓋本体２３のガイドホール２３２に挿入しつつ、底蓋２４に蓋本体２３を重ねる。これにより、ガイド部材２５を介して、ムーブメント２１と文字盤２２と蓋本体２３とが位置決めされる（図３参照）。なお、蓋本体２３には、文字盤２２を視認することができるようなガラス板２７が予め取り付けられている。
【００２９】
また、底蓋２４に蓋本体２３を設置した際、板バネ２６が圧縮される。この圧縮された板バネ２６の付勢力（反発力）により、ムーブメント２１が上方（蓋本体２３側）へ押圧（付勢）されることとなり、ガイドピン２５２がガイドホール２２１、２３２から抜去されるのを防止することができる。また、この付勢力により、文字盤２２の表示面２２５が枠部２３１の下面（当て付け面）２３１ａに当接し、ムーブメント２１と文字盤２２との高さ（上下）方向の位置が規制される。
次に、ビス（図示せず）を用いて、蓋本体２３を底蓋２４に固定する。
【００３０】
以上のような構成の表示ユニット２では、ムーブメント２１と文字盤２２と蓋本体２３との位置決めを正確かつ確実に行うことができ、よって、各針２１１〜２１４と、それに対応した各目盛り２３３、２２６〜２２８とが正確かつ確実に位置決めされる。従って、表示ユニット２における表示精度をより高めることができる。また、このような操作（位置決め操作）も容易に行うことができ、よって、表示ユニット２の組立てに要する時間も短縮することができる。
【００３１】
さて、前述したように、表示ユニット２では、長針２１１が目盛り２３３を指し示すことによって、撮影・記録可能な画像の枚数（以下、単に「画像枚数」という）を表示するよう構成されている（図２参照）。ここで、ＣＰＵ５０によるステッピングモータ５４（長針２１１）の制御について説明する。図７は、図６に記載のＣＰＵの制御動作を示すフローチャートである。図８は、図７に記載のフローチャートに基づいたステッピングモータの動作を示す図である。以下、図７、図８を参照して説明する。
【００３２】
デジタルスチルカメラ１では、記憶部５１に画像枚数が予め記憶されて（書き込まれて）いるとともに、この画像枚数が表示ユニット２に表示されている。なお、以下、このときの画像枚数を「撮影前の画像枚数」という。
まず、レリーズボタン１４が押されると、前記撮影光学系により形成された被写体像がＣＣＤ５６１により電気信号に変換され、これにより得られた画像データがメモリカード１０に記録される。この記録動作に基づき、撮影が行われたと判断する（ステップＳ１０１）。
【００３３】
次に、記憶部５１に記憶された撮影前の画像枚数を撮影後（前記記録動作後）の画像枚数に書き換える（ステップＳ１０２）。
次に、撮影後の画像枚数が０〜１０枚か否かを判断する（ステップＳ１０３）。ステップＳ１０３の判断の結果、撮影後の画像枚数が０〜１０枚の場合には、ステッピングモータ５４のステップ量をパターンＡに決定する（Ｓ１０８）。この「パターンＡ」とは、画像を１枚撮影するごとに、ステップ量が１０ステップ（１２°（１ステップは、１．２°））となるように、ステッピングモータ５４を回転させることである。
次に、パターンＡに基づいて、ステッピングモータドライバ５５を作動させて、ステッピングモータ５４を回転させる（ステップＳ１０６）。これにより、長針２１１が反時計回りに１０ステップ回転することとなり、撮影後の画像枚数が表示される（図２、図８参照）。
【００３４】
また、ステップＳ１０３の判断の結果、撮影後の画像枚数が０〜１０枚ではない、すなわち、撮影後の画像枚数が０〜１０枚以外の枚数である場合には、この枚数が１１〜１００枚か否かを判断する（ステップＳ１０４）。ステップＳ１０４の判断の結果、撮影後の画像枚数が１１〜１００枚の場合には、ステッピングモータ５４のステップ量をパターンＢに決定する（ステップＳ１０７）。この「パターンＢ」とは、画像を１枚撮影するごとに、ステップ量が１ステップ（１．２°）となるように、ステッピングモータ５４を回転させることである。
以後、パターンＢに基づいて、ステップＳ１０６を実行する（図２、図８参照）。
【００３５】
また、ステップＳ１０４の判断の結果、撮影後の画像枚数が１１〜１００枚ではない、すなわち、撮影後の画像枚数が１０１枚以上の場合には、ステッピングモータ５４のステップ量をパターンＣに決定する（ステップＳ１０５）。この「パターンＣ」とは、画像を１０枚撮影するごとに、ステップ量が１ステップ（１．２°）となるように、ステッピングモータ５４を回転させることである。
以後、パターンＣに基づいて、ステップＳ１０６を実行する（図２、図８参照）。
【００３６】
このように、デジタルスチルカメラ１では、画像枚数（表示項目）の１枚当たり（単位量当たり）の長針２１１の回転角度（変位量）が、画像枚数が０に近づく（画像枚数の数量が少なくなる）のに伴って、段階的に大きくなるよう構成されている。具体的には、画像枚数に応じて、３つのパターンを設け、各パターンにおいて、ステッピングモータ５４のステップ量を変化させることにより、長針２１１の回転角度が大きくなるよう構成されている。
【００３７】
以上のような構成により、画像枚数が少なくなってきたときに、長針２１１がどの目盛り２３３を指し示しているのか、すなわち、画像枚数が何枚なのかを確実に確認することができ、表示ユニット２における表示精度を高めることができる。
それに対し、例えば、５００枚撮影可能を示す目盛りを等間隔に配置した場合、目盛りの間隔が小さくなり、長針が指し示す目盛りを正確に読むのが困難となる。
【００３８】
次に、蓋本体２３の目盛り２３３、文字盤２２の目盛り２２６〜２２８について説明する。図９は、撮像時に設定する環境の明るさの目盛りの詳細図である。図１０は、撮像時に設定する撮像される画像の解像度の目盛りの詳細図である。図１１は、バッテリーの残量の目盛りの詳細図である。
まず、蓋本体２３の目盛り２３３について説明する。
【００３９】
図２、図８に示すように、電源がオフの状態を示すアルファベット（目盛り２３３）「Ｅ（Empty）」を基準（０ステップ）として、時計回りに目盛り２３３が設けられて（付されて）いる。画像枚数が０（最小値）〜１０枚までの間では、画像１枚（１単位量（１０ステップ））ごとに目盛り２３３が設けられている。また、画像枚数が１１〜１００枚までの間では、画像枚数が５０枚（１５０ステップ）、１００枚（２００ステップ）に対応する箇所に目盛り２３３が設けられている。また、画像枚数が１０１枚以上では、画像枚数が５００枚（２４０ステップ）に対応する箇所に目盛り２３３が設けられている。
【００４０】
このような目盛り２３３をムーブメント２１の長針２１１が指し示すことにより、撮影・記録可能な画像の枚数（残量）を確認することができる。
また、一般に、カメラのユーザ（使用者）は、画像枚数が多数（例えば、１１〜５００枚）あるときには、これを気にしないが、画像枚数が少なくなるに連れて、その正確な枚数を知りたくなる。この点において、表示ユニット２では、画像枚数が少なくなる（例えば、１０枚以下）程、目盛り２３３が詳細に（画像１枚ごとに）設けられているため、画像枚数を確実に確認することができるという利点がある。
また、目盛り２３３の間隔を不均等に設けることにより、限られた領域（上面２３４）に効率的に目盛り２３３を設けることができ、よって、表示ユニット２における表示精度がより向上する。
【００４１】
また、長針２１１は、電源がオフのときには、「Ｅ」を指し示すが、電源をオンしたときに、画像枚数が５０枚以下であれば「Ｅ」から時計回りに回転して、該当する目盛り２３３を指し示し、画像枚数が５０枚より多ければ「Ｅ」から反時計回りに回転して、該当する目盛り２３３を指し示すよう構成されているのが好ましい。これにより、長針２１１が該当する目盛り２３３に短時間で向うことができる。
【００４２】
次に、文字盤２２の目盛り２２６〜２２８について説明する。
図２に示すように、文字盤２２の目盛り２２６は、撮影（撮像）時に設定する環境（撮影環境）の明るさを示している。図２、図９に示すように、天気マークの「曇り」（目盛り２２６）を基準（０ステップ）として、時計回りに３つの目盛り２２６（天気マーク）が設けられ、反時計回りに２つの目盛り２２６（天気マーク）が設けられている。各天気マークは、３ステップごとに設けられている。この撮影環境の明るさは、操作部１３（操作ボタン）を操作することにより、設定することができる。例えば、撮影時の天気が快晴のときには、左短針２１２が目盛り２２６の快晴マーク（図２中、矢印で示す）を指し示すように操作部１３を操作する。
【００４３】
図２に示すように、文字盤２２の目盛り２２７は、撮影時に設定する撮影される画像の解像度を示している。図２、図９に示すように、電源がオフの状態を示すマーク（目盛り２２７）（図１０中、黒丸で示す）を基準（０ステップ）として、反時計回りに解像度の程度（画質）を表すアルファベット（目盛り２２７）「Ｒ（Regular）」、「Ｈ（High）」および「Ｎ（Normal）」が設けられている。「Ｒ（Regular）」は、基準から３ステップ目に設けられている。また、「Ｈ（High）」および「Ｎ（Normal）」は、「Ｒ（Regular）」から８ステップごとにそれぞれ設けられている。すなわち、「Ｎ（Normal）」は、基準から１１ステップ目に設けられ、「Ｎ（Normal）」は、１９ステップ目に設けられている。この解像度は、前記撮影環境の明るさと同様に、操作部１３（操作ボタン）を操作することにより、設定することができる。例えば、最高解像度（高画質）で撮影しようとするときには、右短針２１３が目盛り２２７の「Ｈ」を指し示すように操作部１３を操作する。
【００４４】
図２に示すように、文字盤２２の目盛り２２８は、バッテリーＢにおける残量を示している。図２、図１１に示すように、バッテリーＢの残量が半分の状態を示す目盛り２２８（図２中、中間に位置するの目盛り）を基準（０ステップ）として、左右にそれぞれ３ステップ目にバッテリーＢの残量の状態を示すアルファベット（目盛り２２８）「Ｅ（Empty）」および「Ｆ（Full）」が設けられている。また、基準から９ステップ目に電源がオフの状態を示すマーク（目盛り２２８）（図１１中、黒丸で示す）が設けられている。
このような文字盤２２の目盛り２２６〜２２８により、画像の解像度、撮影環境の明るさおよびバッテリーＢの残量を確実に確認することができる。
【００４５】
以上、本発明のデジタルスチルカメラを図示の実施形態について説明したが、本発明は、これに限定されるものではなく、デジタルスチルカメラを構成する各部は、同様の機能を発揮し得る任意の構成のものと置換することができる。また、任意の構成物が付加されていてもよい。
また、本発明のデジタルスチルカメラは、前記各実施形態のうちの、任意の２以上の構成（特徴）を組み合わせたものであってもよい。
【００４６】
また、指針は、その変位が回転するよう構成されているに限定されず、直線的に移動するよう構成されていてもよい。
また、指針は、その回転角度（変位量）が段階的に大きくなるよう構成されているのに限定されず、例えば、連続的に大きくなるよう構成されていてもよい。
また、蓋本体の目盛りは、撮影可能な画像の枚数を示すのに限定されず、例えば、文字盤で挙げたような項目（画像の解像度、環境の明るさ、バッテリーの残量）を示してもよいし、シャッタスピード等を示してもよい。
【００４７】
また、撮影・記録可能な画像の枚数の目盛りは、蓋本体に設けられているのに限定されず、例えば、文字盤に設けられていてもよいし、カメラ本体に設けられていてもよい。
また、文字盤の目盛りは、画像の解像度、環境の明るさおよびバッテリーの残量を示すのに限定されず、例えば、これらの項目の１つまたは２つを示してもよいし、これら以外の項目（例えば、シャッタスピード、撮影可能な画像の枚数）を示してもよい。
【図面の簡単な説明】
【００４８】
【図１】本発明のデジタルスチルカメラを示す背面斜視図である。
【図２】図１に記載したデジタルスチルカメラの表示ユニットを示す平面図である。
【図３】図２に記載した表示ユニットのＨ−Ｏ−Ｇ断面図である。
【図４】図２に記載した表示ユニットのＭ−Ｏ−Ｋ断面図である。
【図５】図１に記載したデジタルカスチルメラの表示ユニットの分解斜視図である。
【図６】図１に記載したデジタルスチルカメラの内部構成を示すブロック図である。
【図７】図６に記載のＣＰＵの制御動作を示すフローチャートである。
【図８】図７に記載のフローチャートに基づいたステッピングモータの動作を示す図である。
【図９】撮像時に設定する環境の明るさを示す目盛りの詳細図である。
【図１０】撮像時に設定する撮像される画像の解像度を示す目盛りの詳細図である。
【図１１】バッテリーの残量を示す目盛りの詳細図である。
【符号の説明】
【００４９】
１……デジタルカメラ（デジタルスチルカメラ）  １１……ＬＣＤ  １２……ファインダー  １３……操作部  １４……レリーズボタン  ２……表示ユニット  ２１……ムーブメント  ２１１……長針  ２１２……左短針  ２１３……右短針  ２１４……下短針  ２１５……外周面  ２１１ａ、２１２ａ、２１３ａ、２１４ａ……軸  ２２……文字盤  ２２１……ガイドホール  ２２２ａ、２２２ｂ、２２２ｃ、２２２ｄ……孔  ２２５……表示面  ２２６、２２７、２２８……目盛り  ２３……蓋本体  ２３１……枠部  ２３１ａ……下面（当て付け面）  ２３２……ガイドホール  ２３３……目盛り  ２３４……上面  ２４……底蓋  ２４１……内腔  ２５……ガイド部材  ２５１……環状部  ２５２……ガイドピン  ２５３……保持部  ２６……板バネ  ２７……ガラス板  ２８……空間  ３……カメラ本体  ３４……電池室  １０……メモリカード  ５０……ＣＰＵ  ５１……記憶部  ５２……電源回路  ５３……メモリカード制御回路  ５４……ステッピングモータ  ５５……ステッピングモータドライバ  ５６……撮像部  ５６１……ＣＣＤ  Ｂ……バッテリー  Ｓ１０１〜Ｓ１０８……ステップ
【図１】
2005301130.tif 000003
【図２】
2005301130.tif 000004
【図３】
2005301130.tif 000005
【図４】
2005301130.tif 000006
【図５】
2005301130.tif 000007
【図６】
2005301130.tif 000008
【図７】
2005301130.tif 000009
【図８】
2005301130.tif 000010
【図９】
2005301130.tif 000011
【図１０】
2005301130.tif 000012
【図１１】
2005301130.tif 000013